(57)【要約】  【課題】  本発明は、好気消化槽の処理能力を十分に活かした水処理装置を提供することを目的とする。  【解決手段】  本発明は、固液分離槽と、この固液分離槽にて分離された固形物又は汚泥を好気処理する好気消化槽と、この好気消化槽に設けられる散気装置と、上記固液分離槽よりも下流に設けられる嫌気処理槽とを備え、上記嫌気処理槽での処理水の一部を上記好気消化槽へと移送する第１移送手段を有する水処理装置である。  【選択図】  図１
2008012467.tif 000002
【特許請求の範囲】
【請求項１】
固液分離槽と、この固液分離槽にて分離された固形物又は汚泥を好気消化する好気消化槽と、この好気消化槽に設けられる散気装置と、上記固液分離槽よりも下流に設けられる嫌気処理槽とを備え、上記嫌気処理槽での処理水の一部を上記好気消化槽へと移送する第１移送手段を有する水処理装置。
【請求項２】
請求項１において、第１移送手段が、嫌気処理槽での処理水を下流へと移送する第２移送手段と兼用される水処理装置。
【請求項３】
請求項２において、第１又は第２の移送手段が、流量調整ポンプである水処理装置。
【発明の詳細な説明】
【技術分野】
【０００１】
本発明は、一般家庭等から排出される生活雑排水を処理する水処理装置に関し、詳しくは汚泥を好気消化する機能を有する水処理装置に関する。
【背景技術】
【０００２】
一般家庭等から排出される生活雑排水を処理する水処理装置は、広く普及しているが、設置場所を制限されることから小型化が望まれている。水処理装置の小型化のためには、前処理部分である汚泥貯留部を小型化することが重要であり、そのためには汚泥を消化し汚泥容量を減量することがなされている。汚泥の好気消化については例えば、特許文献１に開示されている。
【０００３】
特許文献１では、浄化すべき排水が、固液分離槽、好気性生物処理槽、濾過槽の順番で移流し、各々の槽より汚泥消化槽へと、汚泥を移送する。即ち、特許文献１では、汚水処理部と、汚泥処理部とを独立して設けることにより、汚水処理の安定化を確保し、汚泥の減量化を行っている。
【特許文献１】特開２００１−３１０１９４
【発明の開示】
【発明が解決しようとする課題】
【０００４】
しかしながら、特許文献１に記載されるものは、汚泥を消化するために、固液分離部と好気消化部とを機能分離して設け、間欠ばっ気により好気性消化を図る方法である。
このような方法は、固液分離部と好気消化部の容量のバランスが難しく、好気消化部の滞留時間を十分に取ろうとすれば、固液分離部の滞留時間が十分に取れず、逆に固液分離部の滞留時間を十分に取ろうとすれば、好気消化部の滞留時間が十分に取れないという問題があった。
【０００５】
本発明は、上記問題点を鑑みてなされたものであり、好気消化槽の処理能力を十分に活かした水処理装置を提供することを目的とする。
【課題を解決するための手段】
【０００６】
本発明は、以下のものに関する。
（１）固液分離槽と、この固液分離槽にて分離された固形物又は汚泥を好気消化する好気消化槽と、この好気消化槽に設けられる散気装置と、上記固液分離槽よりも下流に設けられる嫌気処理槽とを備え、上記嫌気処理槽での処理水の一部を上記好気消化槽へと移送する第１移送手段を有する水処理装置。
（２）項（１）において、第１移送手段が、嫌気処理槽での処理水を下流へと移送する第２移送手段と兼用される水処理装置。
（３）項（１）又は（２）において、第１又は第２の移送手段が、流量調整ポンプである水処理装置。
【発明の効果】
【０００７】
本発明によれば、好気消化槽の処理能力を十分に活かした水処理装置を提供することができる。
また、第１移送手段と、第２移送手段とを兼用した場合、移送手段の設置スペースを小さくすることができ、コストの削減ができるばかりでなく、維持管理も行いやすくなる。
更に、第２移送手段が、流量調整ポンプであれば、流量調整マス（分水計量マス）からの余剰水を第１移送手段の移送水として流用できるため、動力が軽減できる。
【発明を実施するための最良の形態】
【０００８】
本発明にて述べる固液分離槽は、固液分離機能を有していれば特に制限されるものでなく、濾床の有無を問わない。濾床を有する場合は、板状、網様板状、網様円筒状、骨格様球状等の濾材を用いることができる。
固液分離槽では、処理が進むにつれ、固液分離作用により上部が上澄水、下部が汚泥に分離され、下部の沈殿汚泥はやがてスカムとなって浮上する。
【０００９】
本発明にて述べる好気消化槽は、散気装置を備える。固液分離槽と好気消化槽は、連通しており、一方向でも双方向でも水の移流があれば、連通手段を制限するものはない。例えば、固液分離槽と、好気消化槽とを仕切る板に、移流口を設けただけのもの、移流パイプ、移送ポンプ等により移流させるものがある。
【００１０】
本発明にて述べる好気消化槽は、槽内の一部または全部を好気性に保つことができれば特に制限されるものでなく、濾床の有無を問わない。
濾床を設ける場合は、濾床内を好気状態に保つことができるように、散気装置の上方に設けることが望ましい。濾床には微生物が着床し生物膜となり、汚泥中の有機物を分解し消化する。処理が進むにつれ生物膜は肥厚し、一部の生物膜は嫌気状態となり、嫌気消化も同時に進行する。濾床は流動床にすることもできるが、清掃時に濾床内の消化汚泥を引抜き易いように固定床としたほうがよい。
【００１１】
本発明にて述べる散気装置は、好気消化槽に設置される。散気装置は、酸素溶解効率を上げるため、好気消化部の底部近傍に設置することが望ましく、少風量でも効率よく好気性消化が可能となる。更に底部近傍に設置することで水流も早くなるため、底部に死水域ができることを防止できる。
【００１２】
本発明にて述べる嫌気処理槽は、嫌気性の処理機能を有している槽であれば特に制限されるものでなく、具体的には、沈殿分離槽、嫌気濾床槽等を用いることができる。
嫌気処理槽は、固液分離槽からの移流水に含まれる有機物を嫌気処理し、固液分離された上澄水を後段に移送する。一方、固液分離された汚泥は嫌気消化される。
【００１３】
本発明にて述べる第1移送手段は、嫌気処理槽の処理水を好気消化槽へと移送可能であれば特に制限されるものではなく、具体的には、エアリフトポンプが好適に用いられる。
水の移送は、常時でも間欠でもよいが、移送水量は日平均汚水（流入）量Ｑに対して、１Ｑ〜４Ｑ、望ましくは２Ｑ〜３Ｑの範囲がよい。これは、移送水量が少な過ぎる場合には、十分に好気消化槽での処理能力を活かしきれず、多過ぎる場合には、好気消化部から固液分離部への移流量過多になるため、固液分離性能に悪影響を与え、汚泥が分離しきれず嫌気処理槽に流出してしまう恐れがあるためである。
固液分離部で分離された上澄水は、嫌気処理槽にて嫌気処理された後、好気消化部に移送すされることにより、再度好気消化され、好気消化槽での処理効率が上昇する。
【００１４】
本発明にて述べる流量調整ポンプは、多大な流入ピークを緩和するための流量調整装置のひとつである。
流量調整装置は、例えば、流量調整部、流量調整ポンプ、流量調整マスにて構成される。流量調整部は流入した汚水を一時的に貯留しておく空間であり、嫌気処理槽上部をその空間に充てることができる。なお、好気消化部上部、固液分離部上部もその空間に充てることができる。流量調整ポンプは、流量調整部から流量調整マスへと汚水を汲み上げるポンプであり、具体的にはエアリフトポンプが好適に用いられる。流量調整マスは一定量を後段に送水させるための分水計量マスであり、余剰水は戻される。
【００１５】
第１移送手段と、第２移送手段とは、兼用することができる。両者とも嫌気処理槽の処理水を汲み上げる機能は同じである。また、流量調整マスも同様に兼用できる。汲み上げた汚水は流量調整マスによって一定量を、一方は後段の槽に、一方は好気消化部に移送される。
【実施例】
【００１６】
以下、本発明の実施例を図面により説明する。図１は本発明に係る１つの実施例である水処理装置の概略立面図である。
水処理装置１は、好気消化部２５、嫌気処理槽３０および好気処理槽(図示略)を有している。また、好気消化部２５は、固液分離槽１０と、好気消化槽２０と、散気装置２１とを有している。
初めに、汚水は流入口２を通って固液分離槽１０に流れ込む。流入先は、嫌気処理槽３０でもよい。流れ込んだ汚水は、固液分離槽１０にて沈殿分離作用により、汚水中の固形物が分離される。分離された固形物は固液分離槽１０と、好気消化槽２０とを区切る仕切板１３下部の連通部１１から好気消化槽２０へと送られる。仕切板１３の下部は、ホッパー構造となっており、分離された固形物が集まり易い構造となっている。
【００１７】
好気消化槽２０には、散気装置２１が、連通部１１下方近傍に、散気装置２１より発生した気泡が固液分離槽１０に入らないように、好気消化部２０側に設置されている。即ち、散気装置２１の気泡吐出口高さを、仕切板１３の下端よりも高くしている。固液分離部１０のホッパー部に集められた固形物は、この気泡により発生する水流によって、連通部１１を通じて好気消化槽２０側へと引き出され、好気消化槽２０にて好気消化される。
好気消化槽２０にて消化濃縮された汚泥は、連通部１１を通じ固液分離槽１０に戻され、再度固液分離された後、上澄水は移流部１２から後段の嫌気濾床槽３０へ移送される。
【００１８】
嫌気濾床槽３０に流れ込んだ汚水は、嫌気処理された後、移流部３１より後段の好気処理槽(図示略)へ移送される。嫌気処理された汚水の一部は、第１移送手段３２のエアリフトポンプにて、常時好気消化槽２０へと移送される。
移送された汚水中の溶解性ＢＯＤは、好気消化槽２０で汚泥転換され、移送された汚水中のＳＳ分とともに消化される。
このように、本発明においては、好気〜嫌気〜好気が繰り返され、消化率が向上し汚泥量の削減を図ることができる。
【００１９】
図２は、本発明に係る他の実施例の水処理装置の概略立面図である。以下、先の実施例との違いを説明する。
嫌気濾床槽３０で嫌気処理された汚水は、流量調整ポンプ３４により一旦流量調整マス３５に汲み上げられる。流量調整マス３５では、図３に示すように、第１移送手段３２によりくみ上げられた汚水が、流出口Ａ３６を通過して後段の好気処理槽に、また、流出口Ｂ３７を通過して好気消化槽２０に一定量を移送するため計量され、余剰水は戻される。
【００２０】
流量調整部３３は、嫌気処理槽３０、好気消化槽２０、固液分離槽１０各々の上部に設置され、具体的には、流量調整部３３の下端の水面（Ｌ．Ｗ．Ｌ）と上端の水面（Ｈ．Ｗ．Ｌ）間の空間部である。流量調整ポンプ３４の吸込口は、流量調整部３３の下端の水面（Ｌ．Ｗ．Ｌ）に設置される。
このように、嫌気処理槽３０の処理水を好気消化槽２０に移送する第１移送手段３２と流量調整ポンプ３４、流量調整マス３５とは兼用することができる。
【図面の簡単な説明】
【００２１】
【図１】本発明に係る１実施例である水処理装置の概略立面図である。
【図２】本発明に係る他の実施例である水処理装置の概略立面図である。
【図３】本発明に係る他の実施例の流量調整マスの概略立体図である。
【符号の説明】
【００２２】
１…水処理装置、２…流入口、１０…固液分離槽、１１…連通部、１２…移流部、１３…仕切板、２０…好気消化槽、２１…散気装置、２５…好気消化部、３０…嫌気濾床槽、３１…移流部、３２…第１移送手段、３３…流量調整部、３４…流量調整ポンプ、３５…流量調整マス、３６…流出口Ａ、３７…流出口Ｂ
【図１】
2008012467.tif 000003
【図２】
2008012467.tif 000004
【図３】
2008012467.tif 000005